(57)【特許請求の範囲】
【請求項１】
複数の木製の外枠材にて外周枠を形成し、相対する外枠材の間に複数の相互に並列配置される中枠材のそれぞれを架け渡し、各中枠材の上に床面材を固定する床構造において、
少なくとも一部の中枠材をＣ形鋼とし、Ｃ形鋼の長手方向の複数位置の各部で、該Ｃ形鋼のウエブとＣ字開口の上下部のそれぞれにガセットプレートを溶接し、相隣る外枠材と中枠材、中枠材と中枠材の間に固定される転び止めをガセットプレートの差し込み溝に差し込み固定してなることを特徴とする床構造。
【請求項２】
前記外枠材のうち、建物の外壁に面しない部分の外枠材も形鋼とする請求項１に記載の床構造。
【請求項３】
複数の木製の外枠材にて形成される外周枠と、相対する外枠材の間に架け渡され、相互に並列配置される複数の中枠材と、各中枠材の上に固定される床面材とを有してなる床パネルにおいて、
少なくとも一部の中枠材がＣ形鋼からなり、Ｃ形鋼の長手方向の複数位置の各部で、該Ｃ形鋼のウエブとＣ字開口の上下部のそれぞれにガセットプレートを溶接し、相隣る外枠材と中枠材、中枠材と中枠材の間に固定される転び止めをガセットプレートの差し込み溝に差し込み固定してなることとを特徴とする床パネル。
【請求項４】
前記外枠材のうち、建物の外壁に面しない部分の外枠材も形鋼からなる請求項３に記載の床パネル。
【請求項５】
請求項３又は４に記載の床パネルを用いて構築されたユニット建物。
【発明の詳細な説明】
【０００１】
【発明の属する技術分野】
本発明は床構造、床パネル及びユニット建物に関する。
【０００２】
【従来の技術】
従来、ユニット建物等では、複数の外枠材にて外周枠を形成し、相対する外枠材の間に複数の相互に並列に配置される中枠材のそれぞれを架け渡し、各中枠材の上に床面材を固定する床構造を用いている。
【０００３】
そして、特許2781324では、床剛性を高めるため、中枠材として、上下の木質フランジを合板ウエブにて接続したＩビーム材からなるものを開示している。
【０００４】
【発明が解決しようとする課題】
しかしながら、木質フランジと鋼板ウエブを接続してなるＩビーム材は、複雑で高コストになるし、床剛性の更なる改善の要請もある。
【０００５】
本発明の課題は、床構造を単純化しながら、床剛性を向上することにある。
【０００６】
【課題を解決するための手段】
請求項１の発明は、複数の木製の外枠材にて外周枠を形成し、相対する外枠材の間に複数の相互に並列配置される中枠材のそれぞれを架け渡し、各中枠材の上に床面材を固定する床構造において、少なくとも一部の中枠材をＣ形鋼とし、Ｃ形鋼の長手方向の複数位置の各部で、該Ｃ形鋼のウエブとＣ字開口の上下部のそれぞれにガセットプレートを溶接し、相隣る外枠材と中枠材、中枠材と中枠材の間に固定される転び止めをガセットプレートの差し込み溝に差し込み固定してなるものである。
【０００７】
請求項２の発明は、請求項１記載の発明において更に、前記外枠材のうち、建物の外壁に面しない部分の外枠材も形鋼とするようにしたものである。
【０００８】
請求項３の発明は、複数の木製の外枠材にて形成される外周枠と、相対する外枠材の間に架け渡され、相互に並列配置される複数の中枠材と、各中枠材の上に固定される床面材とを有してなる床パネルにおいて、少なくとも一部の中枠材がＣ形鋼からなり、Ｃ形鋼の長手方向の複数位置の各部で、該Ｃ形鋼のウエブとＣ字開口の上下部のそれぞれにガセットプレートを溶接し、相隣る外枠材と中枠材、中枠材と中枠材の間に固定される転び止めをガセットプレートの差し込み溝に差し込み固定してなるものである。
【０００９】
請求項４の発明は、請求項３記載の発明において更に、前記外枠材のうち、建物の外壁に面しない部分の外枠材も形鋼からなるようにしたものである。
【００１０】
請求項５の発明は、請求項３又は４に記載の床パネルを用いて構築されたユニット建物である。
【００１１】
【作用】
請求項１の発明によれば下記(1)の作用がある。
(1)床構造を構成する中枠材をＣ形鋼にて構成することにより、床構造を単純化して低コスト化しながら、床剛性を向上できる。
【００１２】
請求項２の発明によれば下記(2)の作用がある。
(2)床構造を構成する外枠材のうち、建物の外壁に面しない部分の外枠材も形鋼とすることにより、床剛性を更に向上できる。上階の床をこの床構造により構成するとき、上階の床上で、下階側に梁や壁がない位置にも、該上階の壁を配置できる。
【００１３】
このとき、建物の外壁に面する部分の外枠材は、形鋼とせず、木製とすることにより、冷橋発生の虞もない。また、木製外枠材には、外壁の下端部を容易に釘打ち固定できる。
【００１４】
請求項３の発明によれば下記(3)の作用がある。
(3)床パネルを構成する中枠材をＣ形鋼にて構成することにより、床パネルを単純化して低コスト化しながら、床剛性を向上できる。
【００１５】
請求項４の発明によれば下記(4)の作用がある。
(4)床パネルを構成する外枠材のうち、建物の外壁に面しない部分の外枠材も形鋼とすることにより、床剛性を更に向上できる。上階の床をこの床パネルにより構成するとき、上階の床上で、下階側に梁や壁がない位置にも、該上階の壁を配置できる。
【００１６】
このとき、建物の外壁に面する部分の外枠材は、形鋼とせず、木製とすることにより、冷橋発生の虞もない。また、木製外枠材には、外壁の下端部を容易に釘打ち固定できる。
【００１７】
請求項５の発明によれば下記▲５▼の作用がある。
▲５▼ユニット建物において、上述▲３▼、▲４▼の床パネルを用いることにより、ユニット建物の床パネルを単純化しながら、床剛性を向上できる。
【００１８】
【発明の実施の形態】
図１は第１実施形態の床パネルを示し、（Ａ）は床面材を取外して示す平面図、（Ｂ）は（Ａ）のＢ−Ｂ線に沿う断面図、図２は床パネルを示し、（Ａ）は図１（Ａ）のII−II線に沿う断面図、（Ｂ）は（Ａ）のＢ部拡大図、図３は床パネルを示し、（Ａ）は図１（Ａ）のIII−III線に沿う断面図、（Ｂ）は（Ａ）のＢ部拡大図、図４は床パネルを示す分解斜視図、図５は中枠材を示し、（Ａ）は側面図、（Ｂ）は平面図、（Ｃ）は端面図、図６はガセットプレートを示し、（Ａ）は形鋼への取付状態を示す斜視図、（Ｂ）は単体の斜視図、図７は第２実施形態の床パネルを用いたユニット建物を示す分解斜視図、図８は図７のVIII−VIII線に沿う断面図であるである。
【００１９】
（第１実施形態）（図１〜図６）
床パネル１０は、図１〜図４に示す如く、２本の長辺の木製側根太１１（外枠材）と、２本の短辺の木製端根太１２（外枠材）にて矩形状の外周枠１３を形成し、相対する端根太１２、１２の間に複数の相互に並列配置される根太１４（中枠材）のそれぞれを架け渡し、各根太１４の上に床面材１５を固定して構成される。
【００２０】
尚、床パネル１０は、各根太１４の上面に床受木桟１６を釘打ち固定してある。また、床パネル１０は、長辺方向の中央で、相隣る側根太１１と根太１４、根太１４と根太１４の間に床受板１７を釘打ち固定してある。床面材１５は、側根太１１、端根太１２、床受木桟１６、床受板１７に釘打ち固定される。
【００２１】
また、床パネル１０は、長手方向の中央を除く２位置のそれぞれで、相対する側根太１１と根太１４、根太１４と根太１４の間に転び止め１８を釘打ち固定してある。
【００２２】
また、床パネル１０は、下階の壁に載置される側根太１１、端根太１２の下面に、頭つなぎ１９を釘打ち固定してある。
【００２３】
また、床パネル１０は、相対する端根太１２、１２の間で、側根太１１、根太１４に沿う位置に、野縁受２０を釘打ち固定してある。
【００２４】
しかるに、床パネル１０にあっては、図５、図６に示す如く、根太１４を形鋼２１にて構成している。本実施形態において、形鋼２１は、リップ付Ｃ形鋼であり、長手方向の両端部と中間２位置のそれぞれに板金製ガセットプレート２２を溶接してある。ガセットプレート２２は、形鋼２１の両側部、換言すればウエブ２１Ａと上下のリップ２１Ｃのそれぞれに溶接される。ガセットプレート２２は、取付片２２Ａと挟み込み片２２Ｂを備え、取付片２２Ａと挟み込み片２２Ｂの間に転び止め１８のための差し込み溝２２Ｃを形成する。
【００２５】
根太１４は、形鋼２１の両端部に溶接したガセットプレート２２の取付片２２Ａを端根太１２に釘打ち固定することにて、相対する端根太１２、１２の間に架け渡される。そして、相隣る側根太１１と根太１４、根太１４と根太１４の間に固定される転び止め１８を、形鋼２１の中間部に溶接したガセットプレート２２の差し込み溝２２Ｃに差し込み、この転び止め１８を取付片２２Ａに釘打ち固定する。取付片２２Ａに釘打ち固定される転び止め１８は挟み込み片２２Ｂによりバックアップ支持される。
【００２６】
尚、根太１４は、形鋼２１の上フランジ２１Ｂの上面に床受木桟１６を釘打ち固定される。床面材１５を釘打ちするための自動打抜き機で打たれる釘は、根太１４の鋼材からなる形鋼２１を打抜けないため、形鋼２１の上面に予め床受木桟１６を特殊釘により固定しておくものである。
【００２７】
また、根太１４は、ガセットプレート２２の取付片２２の上下を切欠部２２Ｄとし、野縁受２０との干渉を回避する。また、根太１４は、形鋼２１のウエブ２１Ａに配管配線用孔２３を設けている。
【００２８】
床パネル１０は、外周枠１３の外縁部に壁パネル（不図示）を立設され、建物ユニット（不図示）を構成することができる。そして、複数の建物ユニットを隣接設置することにより、ユニット建物を構築するものになる。
【００２９】
本実施形態によれば以下の作用がある。
▲１▼床パネル１０を構成する根太１４を形鋼２１にて構成することにより、床パネル１０を単純化して低コスト化しながら、床剛性を向上できる。
【００３０】
▲２▼ユニット建物において、上述▲１▼の床パネル１０を用いることにより、ユニット建物の床パネル１０を単純化しながら、床剛性を向上できる。
【００３１】
（第２実施形態）（図７、図８）
ユニット建物３０は、図７に示す如く、複数の下階建物ユニット４０のそれぞれの上に、複数の上階建物ユニット５０のそれぞれを搭載して構築されるものである。
【００３２】
下階建物ユニット４０は、床パネル４１の３個の外縁部のそれぞれに３枚の壁パネル４２、４３、４４のそれぞれを立設したものである。
【００３３】
上階建物ユニット５０は、床パネル５１の相交差する２個の外縁部と、該床パネル５１の内部のそれぞれに３枚の壁パネル５２、５３、５４のそれぞれを立設したものである。また、上階建物ユニット５０は、床パネル５１の外縁部のうち、壁パネル５３が一部に立設された外縁部と、この外縁部に交差する外縁部のそれぞれにバルコニー袖壁５５、５６を設置してある。即ち、上階建物ユニット５０は、下階建物ユニット４０に対し、壁パネル５４をセットバックして設け、壁パネル５４の前面にバルコニーを形成するものである。
【００３４】
ここで、上階建物ユニット５０の床パネル５１は、図８に示す如く、２本の長辺の木製側根太６１（外枠材）と、２本の短辺の木製端根太（外枠材）にて矩形状の外周枠６３を形成し、相対する端根太６２、６２の間に複数の相互に並列配置される根太６４（中枠材）のそれぞれを架け渡し、各根太６４の上に床面材６５を固定して構成される。
【００３５】
尚、床パネル５１は、下階建物ユニット４０の壁パネル４２〜４４のそれぞれに載置される側根太６１、端根太６２の下面に頭つなぎ６６を釘打ち固定してある。
【００３６】
しかるに、床パネル５１にあっては、根太６４を形鋼７１にて構成している。本実施形態において、形鋼７１はリップ付Ｃ形鋼であり、形鋼７１の両側部に、第１実施形態の床パネル１０を構成する根太１４におけると同様のガセットプレート２２を溶接しても良い。形鋼７１の上面には、床面材６５を自動釘打ち機にて釘打ちするための床受木桟７２が予め特殊釘にて固定される。
【００３７】
更に、床パネル５１にあっては、側根太６１と端根太６２のうち、ユニット建物３０の外壁に面しない部分の端根太６１を形鋼８１にて構成している。本実施形態において、形鋼８１は角鋼管であるが、２個のリップ付Ｃ形鋼のリップを互いに向い合せで結合した複合体からなるものでも良い。形鋼８１の内側の側部に、第１実施形態の床パネル１０を構成する根太１４におけると同様のガセットプレート２２を溶接しても良い。形鋼８１の上面には、床面材６５を自動釘打ち機にて釘打ちするための床受木桟８２が予め特殊釘にて固定される。
【００３８】
本実施形態によれば以下の作用がある。
▲１▼床パネル５１を構成する根太６４を形鋼７１にて構成することにより、床パネル５１を単純化して低コスト化しながら、床剛性を向上できる。
【００３９】
▲２▼床パネル５１を構成する側根太６１と端根太６２のうち、ユニット建物３０の外壁に面しない部分の側根太６１も形鋼８１とすることにより、床剛性を更に向上できる。上階の床をこの床パネル５１により構成するとき、上階の床上で、下階側に壁パネル４２〜４４がない位置にも、該上階の壁パネル５４を配置できる。
【００４０】
このとき、ユニット建物３０の外壁に面する部分の側根太６１、端根太６２は、形鋼とせず、木製とすることにより、冷橋発生の虞もない。また、木製側根太６１、木製端根太６２には、外壁の下端部を容易に釘打ち固定できる。
【００４１】
▲３▼ユニット建物３０において、上述▲１▼、▲２▼の床パネル５１を用いることにより、ユニット建物３０の床パネル５１を単純化しながら、床剛性を向上できる。
【００４２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明は一般の建物の床構造においても適用できる。
【００４３】
また、本発明の実施において、床剛性を向上するためには、床パネルの少なくとも一部の中枠材が形鋼からなるものであれば良い。
【００４４】
【発明の効果】
以上のように本発明によれば、床構造を単純化しながら、床剛性を向上できる。
【図面の簡単な説明】
【図１】図１は第１実施形態の床パネルを示し、（Ａ）は床面材を取外して示す平面図、（Ｂ）は（Ａ）のＢ−Ｂ線に沿う断面図である。
【図２】図２は床パネルを示し、（Ａ）は図１（Ａ）のII−II線に沿う断面図、（Ｂ）は（Ａ）のＢ部拡大図である。
【図３】図３は床パネルを示し、（Ａ）は図１（Ａ）のIII−III線に沿う断面図、（Ｂ）は（Ａ）のＢ部拡大図である。
【図４】図４は床パネルを示す分解斜視図である。
【図５】図５は中枠材を示し、（Ａ）は側面図、（Ｂ）は平面図、（Ｃ）は端面図である。
【図６】図６はガセットプレートを示し、（Ａ）は形鋼への取付状態を示す斜視図、（Ｂ）は単体の斜視図である。
【図７】図７は第２実施形態の床パネルを用いたユニット建物を示す分解斜視図である。
【図８】図８は図７のVIII−VIII線に沿う断面図であるである。
【符号の説明】
１０  床パネル
１１  側根太（外枠材）
１２  端根太（外枠材）
１３  外周枠
１４  根太（中枠材）
１５  床面材
２１  形鋼
３０  ユニット建物
５０  建物ユニット
５１  床パネル
６１  側根太（外枠材）
６２  端根太（外枠材）
６３  外周枠
６４  根太（中枠材）
６５  床面材
７１、８１  形鋼
【図１】
0003940621.tif 000002
【図２】
0003940621.tif 000003
【図３】
0003940621.tif 000004
【図４】
0003940621.tif 000005
【図５】
0003940621.tif 000006
【図６】
0003940621.tif 000007
【図７】
0003940621.tif 000008
【図８】
0003940621.tif 000009